(57)【要約】【課題】本発明の実施例はフィルタリング特性の測定方法及び装置、前置等化器、並びに通信機器を提供する。【解決手段】該フィルタリング特性の測定装置は、送信側の送信レーザと受信側の局部レーザとの異なる周波数オフセットについての、測定信号が送信側フィルタリングモジュール及び受信側フィルタリングモジュールを通過して得られた受信信号の振幅に基づいて、受信側のフィルタリング特性を決定する第１処理手段、を含む。本実施例の上記装置によれば、余分な計器の測定を必要とせずに、送信側と受信側そのものを利用することで受信側及び送信側のフィルタリング特性を決定でき、フィルタリング特性を測定するための計器による高コスト及び大規模な使用が困難であるという問題を回避できる。【選択図】図８
2017108407.tif 000002
【特許請求の範囲】
【請求項１】
フィルタリング特性の測定装置であって、
設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて、受信側のフィルタリング特性を決定する第１処理手段、を含む、装置。
【請求項２】
送信側のフィルタリング特性を測定する第２処理手段、をさらに含み、
前記第２処理手段は、
前記受信側のフィルタリング特性と前記送信側のフィルタリング特性との結合応答を測定する第１測定手段と、
前記受信側のフィルタリング特性及び前記結合応答に基づいて前記送信側のフィルタリング特性を決定する第１決定手段と、を含む、請求項１に記載の装置。
【請求項３】
前記送信レーザ及び／又は前記局部レーザの周波数を設定し、異なる周波数オフセットを取得する第１設定手段、をさらに含む、請求項１に記載の装置。
【請求項４】
前記第１処理手段は、
異なる周波数オフセットについての受信信号の振幅を決定し、各周波数オフセットについての受信信号の振幅を、受信側の各周波数オフセットに対応する周波数点におけるフィルタリング特性とする第２決定手段と、
前記第２決定手段により決定された受信側の各周波数オフセットに対応する周波数点におけるフィルタリング特性に基づいて、前記受信側のフィルタリング特性を決定する第３決定手段と、を含む、請求項１に記載の装置。
【請求項５】
前記第１処理手段は、
前記受信信号に基づいて前記周波数オフセットを決定し、或いは送信レーザ及び局部レーザの周波数に基づいて前記周波数オフセットを計算する第４決定手段、をさらに含む、請求項４に記載の装置。
【請求項６】
前記測定信号は狭帯域信号である、請求項１に記載の装置。
【請求項７】
前記狭帯域信号は、直流信号、単一周波数信号、又は低いボーレートの擬似ランダム信号である、請求項６に記載の装置。
【請求項８】
前記送信レーザ及び前記局部レーザに対して電力校正を行う第１校正手段、をさらに含む、請求項１に記載の装置。
【請求項９】
前記測定信号を送信する第１送信手段、をさらに含む、請求項１に記載の装置。
【請求項１０】
前置等化器であって、
設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて受信側のフィルタリング特性を決定し、受信側のフィルタリング特性及び受信側のフィルタリング特性と送信側のフィルタリング特性との結合応答に基づいて送信側のフィルタリング特性を決定する特性測定手段と、
前記送信側のフィルタリング特性に基づいて前記前置等化器の係数を決定し、前記前置等化器の係数を用いて送信信号に対して前置等化処理を行う前置等化手段と、を含む、前置等化器。
【請求項１１】
前記測定信号を送信する第２送信手段、をさらに含む、請求項１０に記載の前置等化器。
【請求項１２】
請求項１に記載のフィルタリング特性の測定装置を含む、光通信機器。
【発明の詳細な説明】
【技術分野】
【０００１】
本発明は、通信技術分野に関し、特にフィルタリング特性の測定方法及び装置、前置等化器、並びに通信機器に関する。
【背景技術】
【０００２】
光通信システムに対する低コスト、小型化及び柔軟な構成の要求に応じて、光通信システムの送信機の光学的帯域幅、及び電気的帯域幅が様々の原因で減少されている。従来は、デジタル領域における前置等化（ｐｒｅ−ｅｑｕａｌｉｚａｔｉｏｎ）、プリディストーション（ｐｒｅ−ｄｉｓｔｏｒｔｉｏｎ）及びプリエンファシス（ｐｒｅ−ｅｍｐｈａｓｉｓ）等の技術を用いて狭帯域幅の問題を解決している。
【０００３】
図１は従来技術に係るデジタル領域の前置等化技術を用いる送信機の構成を示す図である。図１に示すように、送信機１００は、送信器１０１、前置等化器１０２、Ｄ／Ａ変換モジュール１０３、レーザ１０４及び光変調器１０５を含み、光変調器１０５は、プラガブル・インタフェース及び電動増幅器などをさらに含んでもよい。送信器１０１がデジタル電気信号を送信し、前置等化器１０２が送信機１００の後続の各フィルタリングモジュール、例えばＤ／Ａ変換モジュール１０３及び光変調器１０５のデジタル電気信号へのフィルタリング損傷に対して前置補償を行い、補償後のデジタル電気信号がＤ／Ａ変換モジュール１０３によりアナログ電気信号に変換され、光変調器１０５により変調されて光信号が出力される。ここで、送信機１００における前置等化器１０２の後続の各フィルタリングモジュールによるフィルタリング損傷を送信側のフィルタリング特性と称する。
【０００４】
図２は従来技術に係る受信機の構成を示す図である。図２に示すように、受信機２００は、光コヒーレント復調器２０１、局部レーザ２０２、Ａ／Ｄ変換モジュール２０３及び受信器２０４を含む。光コヒーレント復調器２０１は、光混合（フィルタリング損傷を有しない）及び光電変換（フィルタリング損傷を有する）により構成されている。送信機から出力された光信号が光コヒーレント復調器２０１によりアナログ電気信号に復調され、Ａ／Ｄ変換モジュール２０３によりデジタル電気信号に変換され、受信器２０４により該デジタル電気信号に受信される。送信機１００から受信された光信号が受信機２００のフィルタリングモジュール、例えば光コヒーレント復調器２０１及びＡ／Ｄ変換モジュール２０３を通過したものにもフィルタリング損傷が存在し、ここで該フィルタリング損傷を受信側のフィルタリング特性と称する。
【０００５】
従来、通常の周波数領域又は時間領域の方法を用いて前置等化処理を行ってもよく、前置等化器の係数は多種の従来技術、例えばゼロ・フォーシング（ｚｅｒｏ  ｆｏｒｃｉｎｇ）、最小平均二乗誤差（ｍｉｎｉｍｕｍ  ｍｅａｎ  ｓｑｕａｒｅ  ｅｒｒｏｒ）等を用いて取得されてもよいが、これらの方法はいずれも送信側のフィルタリング特性を知る必要がある。
【０００６】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００７】
従来は、一般的に計器を用いて送信側又は受信側のフィルタリング特性を測定し、その測定コストが高く、且つ大規模な使用が困難である。
【０００８】
本発明の実施例は、フィルタリング特性の測定方法及び装置、前置等化器、送信機、並びに光通信機器を提供する。該方法は、送信レーザと局部レーザとの異なる周波数オフセットについて取得された受信信号の振幅を用い、且つ余分な計器の測定を必要とせずに、送信側と受信側そのものを利用することで受信側及び送信側のフィルタリング特性を決定でき、フィルタリング特性を測定するための計器による高コスト及び大規模な使用が困難であるという問題を回避できる。
【課題を解決するための手段】
【０００９】
本発明の実施例の上記の目的は、以下の実施形態により実現される。
【００１０】
本発明の実施例の第１態様では、フィルタリング特性の測定装置であって、設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて、受信側のフィルタリング特性を決定する第１処理手段、を含む、装置を提供する。
【００１１】
本発明の実施例の第２態様では、前置等化器であって、設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて受信側のフィルタリング特性を決定し、受信側のフィルタリング特性及び受信側のフィルタリング特性と送信側のフィルタリング特性との結合応答に基づいて送信側のフィルタリング特性を決定する特性測定手段と、前記送信側のフィルタリング特性に基づいて前記前置等化器の係数を決定し、前記前置等化器の係数を用いて送信信号に対して前置等化処理を行う前置等化手段と、を含む、前置等化器を提供する。
【００１２】
本発明の実施例の第３態様では、上記の第１態様に記載のフィルタリング特性の測定装置を含む、光通信機器を提供する。
【００１３】
本発明の実施例の有益な効果としては、該方法は、送信レーザと局部レーザとの異なる周波数オフセットについて取得された受信信号の振幅を用い、且つ余分な計器の測定を必要とせずに、送信側と受信側そのものを利用することで受信側及び送信側のフィルタリング特性を決定でき、フィルタリング特性を測定するための計器による高コスト及び大規模な使用が困難であるという問題を回避できる。
【００１４】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１５】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１６】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００１７】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】従来技術に係るデジタル領域の前置等化技術を用いる送信機の構成を示す図である。
【図２】従来技術に係る受信機の構成を示す図である。
【図３】本実施例１に係るフィルタリング特性の測定方法のフローチャートである。
【図４】本実施例１に係るステップ３０４の具体的な態様のフローチャートである。
【図５】本実施例１に係る受信側フィルタリング特性と受信信号の振幅との関係を示す図である。
【図６】本実施例１に係る受信側フィルタリング特性と受信信号の振幅との関係を示す図である。
【図７】本発明の実施例２に係るフィルタリング特性の測定方法のフローチャートである。
【図８】本発明の実施例３に係るフィルタリング特性の測定装置の構成を示す図である。
【図９】本発明の実施例３に係る第１処理部の構成を示す図である。
【図１０】本発明の実施例３に係る第２処理部の構成を示す図である。
【図１１】本発明の実施例４に係る通信システムの１つの態様を示す図である。
【図１２】本発明の実施例４に係る通信システムの１つの態様を示す図である。
【図１３】本発明の実施例４に係る送受信機の構成を示す図である。
【図１４】本発明の実施例５に係る通信機器の１つの態様を示す図である。
【図１５】本発明の実施例６に係るフィルタリング特性の測定装置の構成を示す図である。
【図１６】本発明の実施例７に係るフィルタリング特性の測定装置の構成を示す図である。
【図１７】本発明の実施例８に係るフィルタリング特性の測定装置の構成を示す図である。
【図１８】本発明の実施例９に係るフィルタリング特性の測定装置の構成を示す図である。
【図１９】本発明の実施例１０に係る前置等化器の構成を示す図である。
【発明を実施するための形態】
【００１８】
図面及び下記の明細書を参照しながら、本発明の実施例の上記及び他の特徴を説明する。これらの実施形態は単なる例示的なものであり、本発明を限定するものではない。当業者に本発明の原理及び実施形態を簡単に理解させるため、本発明の実施例では光ループバックモードを一例にして説明するが、本発明の実施例はこれに限定されず、例えば、本発明の実施例に係る方法及び装置は他の送信機と受信機との接続のモードに適用されてもよい。
【００１９】
本実施例では、送信側のフィルタリング特性は、送信機のフィルタリングモジュール又は送受信機の送信側のフィルタリングモジュールによるフィルタリング損傷を意味し、Ｇ（ｆ）で表され、受信側のフィルタリング特性は、受信機のフィルタリングモジュール又は送受信機の受信側のフィルタリングモジュールによるフィルタリング損傷を意味し、Ｈ（ｆ）で表される。
【００２０】
本実施例では、送信側のフィルタリング特性と受信側のフィルタリング特性との結合応答（ｊｏｉｎｔ  ｒｅｓｐｏｎｓｅ）は、送信機及び受信機のフィルタリングモジュールによる結合フィルタリング損傷、又は送受信機の送信側及び受信側のフィルタリングモジュールによる結合フィルタリング損傷を意味し、Ｇ（ｆ）Ｈ（ｆ）で表される。
【００２１】
従来技術では、一般的に計器を用いて送信側又は受信側のフィルタリング特性を測定し、その測定コストが高く、且つ大規模な使用が困難である。本発明を検討したところ、発明者の発見によると、測定信号の送信レーザ及び局部レーザの異なる周波数オフセットについて取得された受信信号の振幅を用いて受信側のフィルタリング特性Ｈ（ｆ）を決定してもよく、送信側のフィルタリング特性Ｇ（ｆ）をさらに決定してもよい。
【００２２】
以下は、図面を参照しながら本発明の好適な実施形態を説明する。
【００２３】
＜実施例１＞
図３は本実施例１に係るフィルタリング特性の測定方法のフローチャートである。図３に示すように、該方法は下記のステップを含む。
【００２４】
ステップ３０１：測定信号を送信する。
【００２５】
本実施例では、ステップ３０１において送信された測定信号をＳ（ｆ）で表し、狭帯域信号であってもよく、該狭帯域信号は、システムの帯域幅に比べて信号の帯域幅の小さい信号を意味する。信号の帯域幅の小ささの程度は、フィルタリング特性を示す周波数分解能に関連し、ここで、フィルタリング特性が周波数分解能内で同一であるとみなされ、信号の帯域幅が周波数分解能よりも小さい場合、該信号が狭帯域信号であるとみなされてもよい。図６におけるＳ１（ｆ）は狭帯域信号の一例であり、図６に示すように、該信号の帯域幅はｆｓであり、周波数分解能がｆｓよりも大きいと設定する場合、該信号が狭帯域信号であるとみなされてもよい。
【００２６】
本実施例では、狭帯域信号は、直流信号、単一周波数信号、又は低いボーレートの擬似ランダム信号であってもよく、単一周波数信号は単一周波数の実信号又は単一周波数の純虚数信号であってもよく、低いボーレートの擬似ランダム信号はランダム実信号、ランダム純虚数信号、又はランダム複素信号などであってもよいが、本実施例はこれに限定されない。
【００２７】
ステップ３０２：該測定信号が送信側フィルタリングモジュール及び受信側フィルタリングモジュールを通過して、受信信号を取得する。
【００２８】
本実施例では、該測定信号Ｓ（ｆ）が送信側フィルタリングモジュール及び受信側フィルタリングモジュールを通過して、受信信号が得られる。ここで、受信信号をＲ（ｆ）で表し、Ｒ（ｆ）＝Ｓ（ｆ）Ｇ（ｆ）Ｈ（ｆ）。
【００２９】
ステップ３０３：送信側の送信レーザと受信側の局部レーザとの周波数オフセットを変更する。
【００３０】
本実施例では、送信レーザの周波数ｆｔ（例えばｆｔ１，ｆｔ２，…，ｆｔｍ）又は局部レーザの周波数ｆｒ（例えばｆｒ１，ｆｒ２，…，ｆｒｍ）を変更することで異なる周波数オフセット（ｆｔ１−ｆｒ１）（ｆｔ２−ｆｒ２），…，（ｆｔｍ−ｆｒｍ）を取得してもよいし、送信レーザの周波数ｆｔ（例えばｆｔ１，ｆｔ２，…，ｆｔｍ）及び局部レーザの周波数ｆｒ（例えばｆｒ１，ｆｒ２，…，ｆｒｍ）を同時に変更することで異なる周波数オフセット（ｆｔ１−ｆｒ１）（ｆｔ２−ｆｒ２），…，（ｆｔｍ−ｆｒｍ）を取得してもよいが、本実施例はこれに限定されない。
【００３１】
ステップ３０４：異なる周波数オフセットについての該受信信号の振幅に基づいて、受信側のフィルタリング特性を決定する。
【００３２】
本実施例では、周波数がｆｔの送信レーザを設けているため、光変調器を通過した後の信号がＳ（ｆ＋ｆｔ）×Ｇ（ｆ＋ｆｔ）となり、周波数がｆｒの局部レーザを設けているため、光混合後のベースバンド信号がＳ（ｆ＋ｆｔ−ｆｒ）×Ｇ（ｆ＋ｆｔ−ｆｒ）となり、受信信号Ｒ（ｆ）＝Ｈ（ｆ）×Ｇ（ｆ＋ｆｔ−ｆｒ）×Ｓ（ｆ＋ｆｔ−ｆｒ）、該周波数オフセットが第１周波数オフセット（ｆｔ１−ｆｒ１）である場合、取得された受信信号Ｒ（ｆ）の該第１周波数オフセットに対応する周波数点（ｆ１＝ｆｔ１−ｆｒ１）における振幅を決定し、周波数オフセットを第２周波数オフセット（ｆｔ２−ｆｒ２）に変更した場合、上記処理を繰り返し、取得された受信信号Ｒ（ｆ）の該第２周波数オフセットに対応する周波数点（ｆ２＝ｆｔ２−ｆｒ２）における振幅を決定し、それと同様に、周波数オフセットを第ｎ周波数オフセット（ｆｔｎ−ｆｒｎ）に変更した場合、取得された受信信号Ｒ（ｆ）の該第ｎ周波数オフセットに対応する周波数点（ｆｎ＝ｆｔｎ−ｆｒｎ）における振幅を決定し、よって、複数の異なる周波数オフセットについて、取得された受信信号Ｒ（ｆ）の複数の周波数点ｆ１，ｆ２，…，ｆｎにおける振幅をそれぞれ取得して、取得された該受信信号の振幅に基づいて該受信側のフィルタリング特性Ｈ（ｆ）を決定してもよい。
【００３３】
本実施例によれば、測定計器を用いて測定することなく、測定信号を送信側及び受信側の各フィルタリングモジュールを通過させ、周波数オフセットを変更し、異なる周波数オフセットについての受信信号の振幅に基づいてＨ（ｆ）を決定することで、高コスト及び大規模な使用が困難であるという問題を回避できる。
【００３４】
本実施例では、ステップ３０１において、送信機又は送受信機の送信器を用いて該測定信号を送信し、ステップ３０２において、該送信側フィルタリングモジュールは、送信側のフィルタリング特性が測定されるべき送信機又は送受信機の送信側フィルタリングモジュールであり、該受信側フィルタリングモジュールは、受信側のフィルタリング特性が測定されるべき受信機又は送受信機の受信側フィルタリングモジュールである。図１に示す送信機の例では、該受信側フィルタリング特性を測定する場合、まず送信機１００の前置等化器１０２を作動させないようにし、送信器１０１が測定信号をＤ／Ａ変換モジュール１０３に送信する。
【００３５】
本実施例では、ステップ３０１において該測定信号を送信する場合は、送信機又は受信機の元の送信器を再使用しているが、該測定信号を送信する専用の送信器を設けてもよく、該測定信号が、前置等化器を通過することなく、送信側及び受信側のフィルタリングモジュールを通過する。
【００３６】
以下は図面を参照しながらステップ３０４を詳細に説明する。
【００３７】
図４は本実施例に係るステップ３０４の方法のフローチャートである。図４に示すように、該ステップ３０４は下記のステップを含んでもよい。
【００３８】
ステップ４０１：異なる周波数オフセットについての受信信号の振幅を決定し、各周波数オフセットについての受信信号の振幅を、受信側の各周波数オフセットに対応する周波数点におけるフィルタリング特性とする。
【００３９】
ステップ４０２：受信側の各周波数オフセットに対応する周波数点におけるフィルタリング特性に基づいて、受信側のフィルタリング特性を決定する。
【００４０】
本実施例では、発明者の複数回の研究によると、受信側のフィルタリング特性Ｈ（ｆ）と、上記の異なる周波数オフセット（ｆｔ−ｆｒ）について取得された受信信号Ｒ（ｆ）の振幅との間に下記の関係が存在する。
【００４１】
例えば、測定信号が直流信号の場合は、図５は周波数領域における受信側フィルタリング特性と受信信号の振幅との関係を示す図である。図５に示すように、該直流信号周波数領域における信号Ｓ（ｆ）がインパルス信号であり、δ（ｆ）で表され、Ｒ（ｆ）＝Ｈ（ｆ）Ｇ（ｆ＋ｆｔ−ｆｒ）Ｓ（ｆ＋ｆｔ−ｆｒ）となるため、Ｇ（ｆ＋ｆｔ−ｆｒ）Ｓ（ｆ＋ｆｔ−ｆｒ）＝δ（ｆｔ−ｆｒ）となる。ここで、δ（ｆｔ−ｆｒ）は、周波数点（ｆ＝ｆｔ−ｆｒ）のみにおいてインパルスが存在し、他の周波数点における信号値が０であることを表す。このため、Ｒ（ｆ）＝Ｈ（ｆｔ−ｆｒ）δ（ｆｔ−ｆｒ）、即ち、受信側のフィルタリング特性Ｈ（ｆ）と上記の異なる周波数オフセット（ｆｔ−ｆｒ）について取得された受信信号Ｒ（ｆ）の振幅との関係は、Ｒ（ｆ）の該周波数オフセット（ｆｔ−ｆｒ）に対応する周波数点（ｆ＝ｆｔ−ｆｒ）における信号の振幅がＨ（ｆｔ−ｆｒ）であることである。よって、取得された受信信号の該周波数オフセット（ｆｔ−ｆｒ）に対応する周波数点（ｆ＝ｆｔ−ｆｒ）における信号の振幅を、受信側の周波数オフセット（ｆｔ−ｆｒ）におけるフィルタリング特性Ｈ（ｆｔ−ｆｒ）としてもよく、送信された直流信号をそのまま維持し、送信レーザの周波数ｆｔ及び／又は局部レーザの周波数ｆｒを複数回変更する。ステップ４０１において、各周波数オフセットについての受信信号の振幅を、受信側の各周波数オフセットに対応する周波数点におけるフィルタリング特性とし、ステップ４０２において、ステップ４０１において決定された受信側の異なる周波数オフセットに対応する周波数点におけるフィルタリング特性を統合して、周波数範囲全体の受信側のフィルタリング特性を取得する。
【００４２】
以上は、該測定信号が直流信号の場合受信側のフィルタリング特性の決定方法を説明しているが、本実施例はこれに限定されない。図６は、該測定信号がＳ１（ｆ）の場合に、周波数領域における受信側フィルタリング特性と受信信号の振幅との関係を示す図である。図６に示すように、Ｓ１（ｆ）により占用される帯域幅が非常に狭いため、δ（ｆ）に近似されてもよい。上述したように、Ｇ（ｆ＋ｆｔ−ｆｒ）Ｓ１（ｆ＋ｆｔ−ｆｒ）≒δ（ｆｔ−ｆｒ）、即ち、上記方法を同様に採用して受信側のフィルタリング特性を決定してもよく、ここでその説明が省略される。
【００４３】
本実施例では、各変更後の周波数オフセット（ｆｔ−ｆｒ）の値を決定するために、１つの態様では、受信信号Ｒ（ｆ）に基づいて決定されてもよく、例えば受信された信号に対してフーリエ変換を行い、変換後の信号振幅のピーク値に対応する周波数値が該周波数オフセット（ｆｔ−ｆｒ）である。もう１つの態様では、設けられた送信レーザの周波数及び局部レーザの周波数に基づいて周波数オフセットを計算してもよく、例えば送信レーザの周波数ｆｔと局部レーザの周波数ｆｒとに対して減算を直接行って該周波数オフセット（ｆｔ−ｆｒ）を取得する。
【００４４】
本実施例によれば、測定計器を用いて測定することなく、測定信号を送信側及び受信側の各フィルタリングモジュールを通過させ、周波数オフセットを変更し、異なる周波数オフセットについての受信信号の振幅に基づいてＨ（ｆ）を決定することで、高コスト及び大規模な使用が困難であるという問題を回避できる。
【００４５】
＜実施例２＞
本実施例２はフィルタリング特性の測定方法をさらに提供し、実施例１と異なって、本実施例２では、受信側のフィルタリング特性だけではなく、送信側のフィルタリング特性をさらに決定してもよい。
【００４６】
図７は本発明の実施例２に係るフィルタリング特性の測定方法のフローチャートである。図７に示すように、ステップ７０１〜７０４は受信側のフィルタリング特性を決定するために用いられ、その具体的な態様は実施例１におけるステップ３０１〜３０４と同様であり、ここでその説明が省略される。
【００４７】
本実施例では、該方法は下記のステップをさらに含んでもよい。
【００４８】
ステップ７０５：送信側のフィルタリング特性を測定する。
【００４９】
本実施例では、受信側のフィルタリング特性と送信側のフィルタリング特性との結合応答を測定し、該結合応答及びステップ７０４において取得された受信側のフィルタリング特性に基づいて送信側のフィルタリング特性を決定してもよい。具体的には、ステップ７０５において新しい測定信号Ｓ’（ｆ）を送信してもよく、送信側及び受信側のフィルタリングモジュールを通過した後の受信信号Ｒ’（ｆ）を取得し、測定信号Ｓ’（ｆ）及び受信信号Ｒ’（ｆ）に基づいて結合応答を決定する。例えば、Ｒ’（ｆ）＝Ｈ（ｆ）×Ｇ（ｆ）×Ｓ’（ｆ）となるため、送信側のフィルタリング特性と受信側のフィルタリング特性との結合応答Ｊ（ｆ）＝Ｈ（ｆ）×Ｇ（ｆ）＝Ｒ’（ｆ）／Ｓ’（ｆ）となり、即ち、送信側の送信信号Ｓ’（ｆ）及び受信側の受信信号Ｒ’（ｆ）が既知である場合、上記関係に基づいて上記結合応答を直接決定できる。
【００５０】
ここで、測定を容易にし、測定の正確性を向上するために、送信レーザ及び局部レーザの周波数オフセットを０に設定してもよく、該新しい測定信号Ｓ’（ｆ）は周波数がシステム周波数全体をカバーする広い周波数の信号であってもよく、このように、結合応答を計算する時の分母が０であることを回避できる。
【００５１】
ステップ７０５において、ステップ７０４において決定された受信側のフィルタリング特性Ｈ（ｆ）及び決定された結合応答Ｊ（ｆ）に基づいて、送信側のフィルタリング特性Ｇ（ｆ）、即ち送信側のフィルタリング特性Ｇ（ｆ）＝Ｊ（ｆ）／Ｈ（ｆ）を決定する。
【００５２】
本実施例では、ステップ７０５における結合応答Ｊ（ｆ）の測定とステップ７０４における受信側のフィルタリング特性Ｈ（ｆ）の測定との実行の順序に限定されない。
【００５３】
本実施例では、測定の正確性を向上するために、送信レーザ及び／又は局部レーザの周波数を変更する際に、送信レーザ及び／又は局部レーザの電力の安定性を維持する必要がある。ここで、フィルタリング特性の測定方法は、送信レーザ及び局部レーザに対して電力校正を行うステップをさらに含んでもよい。
【００５４】
本実施例では、光検出器ＰＤを設け、光の電力を測定し、光の電力が変化した場合に校正を行うことで、光の電力を安定化してもよい。
【００５５】
本実施例によれば、余分な測定計器を必要とせずに、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。
【００５６】
＜実施例３＞
本発明の実施例３はフィルタリング特性の測定装置をさらに提供し、該装置の問題解決の原理は実施例１及び２の方法と類似するため、その具体的な実施は実施例１及び２の方法の実施を参照してもよく、重複する部分についてその説明が省略される。
【００５７】
図８は本発明の実施例３に係る該フィルタリング特性の測定装置の構成を示す図である。図８に示すように、フィルタリング特性の測定装置８００は第１処理部８０１を含む。
【００５８】
第１処理部８０１は、設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて、受信側のフィルタリング特性を決定する。
【００５９】
この実施例では、第１処理部８０１の具体的な態様は実施例１におけるステップ３０４を参照してもよく、ここでその説明が省略される。
【００６０】
本実施例では、該測定信号の具体的な態様は実施例１を参照し、ここでその説明が省略される。
【００６１】
図９本発明の実施例３に係る第１処理部８０１の１つの態様の構成を示す図である。図９に示すように、第１処理部８０１は、第２決定部９０１及び第３決定部９０２を含む。
【００６２】
第２決定部９０１は、異なる周波数オフセットについての受信信号の振幅を決定し、各周波数オフセットについての受信信号の振幅を、受信側の各周波数オフセットに対応する周波数点におけるフィルタリング特性とする。
【００６３】
第３決定部９０２は、第２決定部９０１により決定された受信側の各周波数オフセットに対応する周波数点におけるフィルタリング特性に基づいて、受信側のフィルタリング特性を決定する。
【００６４】
本実施例では、第２決定部９０１及び第３決定部９０２の具体的な態様は実施例１におけるステップ４０１〜４０２を参照してもよく、ここでその説明が省略される。
【００６５】
ここで、図９に示すように、第１処理部８０１は、第４決定部９０３をさらに含んでもよい。
【００６６】
第４決定部９０３は、受信信号に基づいて周波数オフセットを決定し、或いは送信レーザ及び局部レーザの周波数に基づいて該周波数オフセットを計算する。その具体的な態様は実施例を参照してもよく、ここでその説明が省略される。
【００６７】
本実施例では、図８に示すように、該装置は、送信側のフィルタリング特性を測定する第２処理部８０２（選択可能なもの）をさらに含んでもよい。
【００６８】
図１０は本実施例に係る第２処理部８０２の構成を示す図である。図１０に示すように、第２処理部８０２は、第１測定部１００１及び第１決定部１００２を含む。
【００６９】
第１測定部１００１は、受信側のフィルタリング特性と送信側のフィルタリング特性との結合応答を測定する。
【００７０】
第１決定部１００２は、該受信側のフィルタリング特性及び該結合応答に基づいて送信側のフィルタリング特性を決定する。
【００７１】
ここで、第１測定部１００１及び第１決定部１００２の具体的な態様は実施例２におけるステップ７０５を参照し、ここでその説明が省略される。
【００７２】
本実施例では、好ましくは、送信機又は送受信機の送信器及びフィルタリングモジュールを用いる場合、フィルタリング特性の測定装置８００は、前置等化器を作動させないように、送信機又は送受信機の該前置等化器を設定する設定部（図示せず）をさらに含んでもよい。なお、上記実施例に限定されず、該設定部は送信機、受信機又は送受信機に設けられてもよい。
【００７３】
本実施例によれば、余分な測定計器を必要とせずに、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。
【００７４】
＜実施例４＞
本発明の実施例は通信システムをさらに提供し、該通信システムは、実施例３に示すフィルタリング特性の測定装置８００及び通信機器を含み、該通信機器は互いに接続された送信機及び受信機であってもよいし、送受信機であってもよい。
【００７５】
図１１は本発明の実施例４に係る通信システムの１つの態様を示す図である。図１１に示すように、通信システム１１００は、実施例３に記載されたフィルタリング特性の測定装置８００を含み、フィルタリング特性の測定装置８００は受信側のフィルタリング特性及び送信側のフィルタリング特性を測定し、その構成は上記実施例に説明されたものであり、ここでその説明が省略される。該通信機器は、互いに接続された送信機１１０１及び受信機１１０２を含み、該送信機１１０１及び受信機１１０２の具体的な構成を示す図は図１及び図２を参照してもよく、ここでその説明が省略される。図１及び図２における送信機及び受信機と異なって、本実施例では、送信機１１０１における送信器は測定信号を送信し、該測定信号の具体的な態様は実施例１を参照し、ここでその説明が省略される。また、該送信機１１０１及び受信機１１０２は、異なる周波数オフセットを取得するように、送信レーザ及び／又は局部レーザの周波数をさらに設定する。
【００７６】
本実施例では、フィルタリング特性を測定する際に、該通信システムにおけるフィルタリング特性の測定装置における設定部（送信機又は受信機に設けられてもよい）が送信機１１０１の前置等化器を作動させないようにし、送信機１１０１の送信器が測定信号を送信し、送信側及び受信側の各フィルタリングモジュールを通過させ、送信器１１０１及び受信機１１０２が送信レーザ及び局部レーザの周波数オフセットを変更するように制御し、受信機１１０２が受信側により取得された受信信号をフィルタリング特性の測定装置に送信し、該装置が最終的な受信側又は送信側のフィルタリング特性又は結合応答を決定し、その具体的な方法は実施例１及び２に説明されたものであり、ここでその説明が省略される。
【００７７】
図１２は本発明の実施例４に係る通信システムの１つの態様を示す図である。図１２に示すように、該通信機器は送受信機であり、図１３は該送受信機１２０１の構成を示す図である。図１３に示すように、送受信機の送信側と受信側は光ループバック方式で接続され、該送受信機１２０１は、送信器１３０１、前置等化器１３０２、Ｄ／Ａ変換モジュール１３０３、光変調器１３０４、レーザ１３０５、光コヒーレント復調器１３０６、局部レーザ１３０７、Ａ／Ｄ変換モジュール１３０８及び受信器１３０９を含む。その具体的な態様は図１及び図２における送信機及び受信機の各モジュールと類似し、ここでその説明が省略される。図１及び図２における送信機及び受信機と異なって、本実施例では、送受信機１２０１における送信器１３０１は測定信号を送信し、該測定信号の具体的な態様は実施例１を参照し、ここでその説明が省略される。また、該送受信機１２０１は、異なる周波数オフセットを取得するように、送信レーザ１３０５及び／又は局部レーザ１３０７の周波数をさらに設定する。
【００７８】
本実施例では、フィルタリング特性を測定する際に、該通信システムにおけるフィルタリング特性の測定装置における設定部が送受信機１２０１の前置等化器を作動させないようにし、送受信機１２０１の送信器が測定信号を送信し、送信側及び受信側のフィルタリングモジュールを通過させ、送受信機１２０１が送信レーザ及び局部レーザの周波数オフセットを変更するように制御し、送受信機１２０１が受信側により取得された受信信号をフィルタリング特性の測定装置に送信し、該装置が最終的な受信側又は送信側のフィルタリング特性又は結合応答を決定し、その具体的な方法は実施例１及び２に説明されたものであり、ここでその説明が省略される。
【００７９】
本実施例によれば、余分な測定計器を必要とせずに、且つ送信信号をそのまま維持し、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。
【００８０】
＜実施例５＞
本発明の実施例５は通信機器をさらに提供し、実施例４における通信機器と異なって、実施例３に記載されたフィルタリング特性の測定装置の機能が該通信機器に統合されている。該通信機器は、送信機、受信機又は送受信機であってもよい。例えば、該通信機器が送信機である場合、他の受信機に接続され、該通信機器が受信機である場合、他の送信機に接続され、該通信機器が送受信機である場合、該送受信機の送信側と受信側とが接続され、例えば光ループバックの方式で接続されるが、本実施例はこれに限定されない。
【００８１】
図１４は本実施例に係る通信機器の１つの態様を示す図である。図１４に示すように、通信機器１４００は、中央処理装置（ＣＰＵ）１４０１及び記憶装置１４０２を含んでもよく、記憶装置１４０２は中央処理装置１４０１に接続される。なお、該図は単なる例示的なものであり、電気通信機能又は他の機能を実現するように、他の種類の構成を用いて、該構成を補充又は代替してもよい。ここで、中央処理装置１４０１は、送信器が測定信号を送信するように制御し、異なる周波数オフセットを取得するように送信レーザ及び／又は局部レーザの周波数を設定する。
【００８２】
１つの態様では、実施例３のフィルタリング特性の測定装置の機能は中央処理装置１４０１に統合されてもよい。
【００８３】
中央処理装置１４０１は、設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて、受信側のフィルタリング特性を決定するように構成されている。
【００８４】
中央処理装置１４０１は、受信側のフィルタリング特性と送信側のフィルタリング特性との結合応答を測定し、受信側のフィルタリング特性及び結合応答に基づいて送信側のフィルタリング特性を決定するようにさらに構成されてもよい。
【００８５】
中央処理装置１４０１は、異なる周波数オフセットについての受信信号の振幅を決定し、各周波数オフセットについての受信信号の振幅を、受信側の各周波数オフセットに対応する周波数点におけるフィルタリング特性とし、決定された受信側の各周波数オフセットに対応する周波数点におけるフィルタリング特性に基づいて、受信側のフィルタリング特性を決定するようにさらに構成されてもよい。
【００８６】
中央処理装置１４０１は、受信信号に基づいて周波数オフセットを決定し、或いは送信レーザ及び局部レーザの周波数に基づいて周波数オフセットを計算するように構成されてもよい。
【００８７】
ここで、中央処理装置１４０１は、送信レーザ及び前記局部レーザに対して電力校正を行うようにさらに構成されてもよく、その具体的な態様は実施例９を参照する。
【００８８】
もう１つの態様では、実施例３に記載れたフィルタリング特性の測定装置は中央処理装置１４０１とそれぞれ構成されてもよく、例えば該装置は中央処理装置１４０１に接続されたチップ（図１４の１４０３を参照）であり、中央処理装置１４０１の制御により該装置の機能を実現してもよい。
【００８９】
図１４に示すように、通信機器１４００通信モジュール１４０４、入力部１４０７、及び電源１４０８をさらに含んでもよい。なお、通信機器１４００は図１４に示す全てのユニットを含む必要がない。また、通信機器１４００は、図１４に示されていないユニットをさらに含んでもよく、従来技術を参照してもよい。
【００９０】
本実施例では、通信機器１４００が送信機である場合、通信機器１４００はレーザ１４０６をさらに含み、通信モジュール１４０４は信号送信モジュールであり、その構成が従来の送信機と同様であり、図１に示すように、送信器１０１、前置等化器１０２、Ｄ／Ａ変換モジュール１０３、レーザ１０４及び光変調器１０５を含んでもよいが、通信モジュール１４０４の構成が上記実施例に限定されない。
【００９１】
本実施例では、通信機器１４００が受信機である場合、通信機器１４００は局部レーザ（図示せず）をさらに含み、通信モジュール１４０４は信号受信モジュールであり、その構成が従来の受信機と同様であり、図１に示すように、光コヒーレント復調器２０１、Ａ／Ｄ変換モジュール２０３及び受信器２０４を含んでもよいが、通信モジュール１４０４の構成が上記実施例に限定されない。
【００９２】
本実施例では、通信機器１４００が送受信機である場合、通信機器１４００はレーザ１４０６及び局部レーザ（図示せず）をさらに含み、通信モジュール１４０４は信号送信モジュール及び信号受信モジュールであり、その構成が従来の送受信機と同様であり、例えば送信モジュールが送信機と類似し、受信モジュールが受信機と類似してもよいが、通信モジュール１４０４の構成が上記実施例に限定されない。
【００９３】
本実施例では、フィルタリング特性の測定装置が設定部を含まない場合、通信機器１４００は、前置等化器を作動させないように、送信機又は受信機の該前置等化器を設定する設定部（図示せず）をさらに含んでもよいが、該設定部が入力部１４０５により実現されてもよい。
【００９４】
図１４に示すように、中央処理装置１４０１は、コントローラ又は操作制御部とも称され、マイクロプロセッサ又は他の処理装置及び／又は論理装置を含んでもよく、中央処理装置１４０１は入力を受信し、通信機器１４００の各部の操作を制御する。
【００９５】
ここで、記憶装置１４０２は、例えばバッファ、フラッシュメモリ、ハードディスク、移動可能な媒体、発揮性メモリ、不発揮性メモリ、又は他の適切な装置の１つ又は複数であってもよい。予め定義され、或いは予め構成された情報を記憶してもよいし、関連情報を実行するためのプログラムをさらに記憶してもよい。また、中央処理装置１４０１は、記憶装置１４０２に記憶されたプログラムを実行し、情報の記憶又は処理などを実現してもよい。他の部材は従来技術に類似するため、ここでその説明が省略される。光受信機１４００の各部は、本発明の範囲から逸脱することなく、特定のハードウェア、ファームウェア、ソフトウェア又はその組み合わせによって実現されてもよい。
【００９６】
本実施例では、例えば通信機器１４００が送信機であり、フィルタリング特性を測定する際に、フィルタリング特性の測定装置１４０３における設定部又は通信機器１４００における設定部（例えば入力部１４０５）が通信モジュール１４０４の前置等化器を作動させないようにし、ＣＰＵの制御により通信モジュール１４０４における送信器が測定信号を送信し、測定信号を通信モジュール１４０４の送信側のフィルタリングモジュール及び該送信機に接続された受信機の受信側のフィルタリングモジュールを通過させ、ＣＰＵの制御によりレーザ１４０６の周波数及び／又は該送信機に接続された受信機の局部レーザの周波数を変更し、ＣＰＵの制御により受信機から異なる周波数オフセットについての受信側の受信信号を取得し、フィルタリング特性の測定装置１４０３に送信し、フィルタリング特性の測定装置１４０３が最終的な受信側若しくは送信側のフィルタリング特性、又は結合応答を決定し、その具体的な方法は実施例１及び２に説明されたものであり、ここでその説明が省略される。
【００９７】
本実施例では、例えば通信機器１４００が送受信機であり、フィルタリング特性を測定する際に、フィルタリング特性の測定装置１４０３における設定部又は通信機器１４００における設定部（例えば入力部１４０５）が通信モジュール１４０４の前置等化器を作動させないようにし、ＣＰＵの制御により通信モジュール１４０４における送信器が測定信号を送信し、測定信号を送信側のフィルタリングモジュール及び受信側のフィルタリングモジュールを通過させ、ＣＰＵの制御によりレーザ１４０６の周波数及び／又は局部レーザの周波数を変更し、ＣＰＵの制御により取得された異なる周波数オフセットについての受信側の受信信号をフィルタリング特性の測定装置１４０３に送信し、フィルタリング特性の測定装置１４０３が最終的な受信側若しくは送信側のフィルタリング特性、又は結合応答を決定し、その具体的な方法は実施例１及び２に説明されたものであり、ここでその説明が省略される。
【００９８】
本実施例では、例えば通信機器１４００が受信機であり、フィルタリング特性を測定する際に、フィルタリング特性の測定装置１４０３における設定部又は通信機器１４００における設定部（例えば入力部１４０５）が受信機に接続された送信機の前置等化器を作動させないようにし、ＣＰＵの制御により受信機に接続された送信機の送信器が測定信号を送信し、測定信号を送信側のフィルタリングモジュール及び受信機の通信モジュール１４０４における受信側のフィルタリングモジュールを通過させ、ＣＰＵの制御により該受信機に接続された送信機のレーザの周波数及び／又は該受信機そのものの局部レーザの周波数を変更し、ＣＰＵの制御により取得された異なる周波数オフセットについての受信信号をフィルタリング特性の測定装置１４０３に送信し、フィルタリング特性の測定装置１４０３が最終的な受信側若しくは送信側のフィルタリング特性、又は結合応答を決定し、その具体的な方法は実施例１及び２に説明されたものであり、ここでその説明が省略される。
【００９９】
本実施例によれば、余分な測定計器を必要とせずに、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。
【０１００】
＜実施例６＞
本実施例６はフィルタリング特性の測定装置をさらに提供し、実施例３の装置と異なって、本実施例では、既存の送信機又は送受信機の送信器を用いることなく、既存の送信機、受信機又は送受信機の各フィルタリングモジュールのみを用いる。
【０１０１】
図１５は本発明の実施例６に係るフィルタリング特性の測定装置の構成を示す図である。図１５に示すように、フィルタリング特性の測定装置１５００は、第１処理部１５０１及び第２処理部１５０２を含み、その具体的な態様は実施例３における第１処理部８０１及び第２処理部８０２を参照し、ここでその説明が省略される。
【０１０２】
本実施例では、フィルタリング特性の測定装置１５００は、測定信号を送信し、測定信号を既存の送信器又は送受信機の送信側のフィルタリングモジュールを直接送信する第１送信部１５０３さらに含んでもよい。第１処理部１５０１は、異なる周波数オフセットについての送信側のフィルタリングモジュール及び受信側のフィルタリングモジュールを通過した受信信号を取得し、最終的な受信側のフィルタリング特性及び結合応答を決定し、その具体的な方法は実施例１及び２に記載されたものであり、ここでその説明が省略される。
【０１０３】
本実施例では、第１送信部１５０３により送信された測定信号を既存の送信器又は送受信機の前置等化器に通過させる必要がないため、該装置は実施例３における設定部を含む必要がない。
【０１０４】
本実施例では、フィルタリング特性の測定装置１５００は、測定信号を送信し、測定信号を送信器又は送受信機の送信側のフィルタリングモジュールに送信し、該測定信号が送信器に接続された受信機の受信側のフィルタリングモジュール又は送受信機の受信側のフィルタリングモジュールを通過し、受信側で取得された異なる周波数オフセットについての受信信号をフィルタリング特性の測定装置１５００に送信し、フィルタリング特性の測定装置１５００は該受信信号を受信し、最終的な受信側及び送信側のフィルタリング特性、並びにその結合応答を決定し、その具体的な方法は実施例１及び２に記載されたものであり、ここのその説明が省略される。
【０１０５】
本実施例によれば、余分な測定計器を必要とせずに、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。
【０１０６】
＜実施例７＞
本実施例７はフィルタリング特性の測定装置をさらに提供し、実施例６のフィルタリング特性の測定装置１５００と異なって、本実施例では、既存の送信機又は送受信機の送信側のフィルタリングモジュール、及び受信機又は送受信機の受信側のフィルタリングモジュールを用いていない。
【０１０７】
図１６は本発明の実施例７に係るフィルタリング特性の測定装置の構成を示す図である。図１６に示すように、該フィルタリング特性の測定装置１６００は、第１処理部１６０１、第２処理部１６０２、及び第１送信部１６０３を含み、実施例６における第１処理部１５０１、第２処理部１５０２及び第１送信部１５０３を参照してもよく、ここでその説明が省略される。
【０１０８】
本実施例では、フィルタリング特性の測定装置１６００は、送信側フィルタリング特性が測定されるべき送信機又は送受信機のフィルタリングモジュールに相当する送信側フィルタリングモジュール１６０４、及び受信側フィルタリング特性が測定されるべき受信機又は送受信機のフィルタリングモジュールに相当する受信側フィルタリングモジュール１６０５をさらに含み、第１送信部１６０３は、該測定信号を送信側フィルタリングモジュール１６０４に送信し、受信側フィルタリングモジュール１６０５を通過させ、異なる周波数オフセットについての受信信号を取得し、フィルタリング特性の測定装置１６００は最終的な受信側のフィルタリング特性又は送信側のフィルタリング特性を決定し、その具体的な方法は実施例１及び２に記載されたものであり、ここでその説明が省略される。
【０１０９】
本実施例では、該フィルタリング特性の測定装置１６００が送信側のフィルタリング特性を決定した後に、前置等化器が送信側のフィルタリング特性に基づいて前置等化器の係数を決定し、前置等化処理を行うように、該フィルタリング特性を送受信機又は送信機の該前置等化器に送信してもよい。
【０１１０】
本実施例によれば、余分な測定計器を必要とせずに、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。
【０１１１】
＜実施例８＞
実施例８はフィルタリング特性の測定装置をさらに提供し、実施例３のフィルタリング特性の測定装置８００と異なって、本実施例では、送信機、受信機又は送受信機そのもので送信レーザ及び局部レーザの周波数を設定する必要がなく、フィルタリング特性の測定装置は、送信機、受信機又は送受信機における送信レーザ及び局部レーザの周波数を設定する。
【０１１２】
図１７は本発明の実施例８に係るフィルタリング特性の測定装置の構成を示す図である。図１７に示すように、フィルタリング特性の測定装置１７００は、第１処理部１７０１及び第２処理部１７０２を含み、実施例３における第１処理部８０１及び第２処理部８０２を参照してもよく、ここで説明が省略される。
【０１１３】
本実施例では、フィルタリング特性の測定装置１７００は、送信レーザ及び／又は局部レーザの周波数を設定し、異なる周波数オフセットを取得する第１設定部１７０３をさらに含んでもよい。
【０１１４】
本実施例では、フィルタリング特性を測定する際に、送信機又は送受信機の送信器が測定信号を送信し、該測定信号が送信側のフィルタリングモジュール及び受信側のフィルタリングモジュールを通過させ、フィルタリング特性の測定装置１７００の第１設定部１７０３が送信レーザの周波数及び／又は局部レーザの周波数を変更し、異なる周波数オフセットについての受信信号を取得し、フィルタリング特性の測定装置１７００が最終的な受信側若しくは送信側のフィルタリング特性、又は結合応答を決定し、その具体的な方法は実施例１及び２に記載されたものであり、ここでその説明が省略される。
【０１１５】
本実施例では、フィルタリング特性の測定装置１７００は、第１送信部、並びに送信側及び受信側のフィルタリングモジュール（図示せず）をさらに含んでもよいが、その具体的な態様は実施例６及び７を参照してもよく、ここでその説明が省略される。
【０１１６】
本実施例では、フィルタリング特性の測定装置１７００は、送信側のフィルタリング特性を決定した後に、前置等化器が送信側のフィルタリング特性に基づいて前置等化器の係数を決定し、前置等化処理を行うように、該フィルタリング特性を送受信機又は送信機の該前置等化器に送信してもよい。
【０１１７】
本実施例によれば、余分な測定計器を必要とせずに、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。
【０１１８】
＜実施例９＞
本実施例では、測定の正確性を向上するために、送信レーザ及び／又は局部レーザの周波数が変化した場合、送信レーザ及び／又は局部レーザの電力の安定性を維持する必要がある。
【０１１９】
１つの態様では、本実施例９はフィルタリング特性の測定装置をさらに提供し、実施例３のフィルタリング特性の測定装置８００と異なって、該フィルタリング特性の測定装置は、送信レーザ及び局部レーザに対して電力校正をさらに行う。
【０１２０】
図１８は本実施例９に係るフィルタリング特性の測定装置の構成を示す図である。図１８に示すように、該フィルタリング特性の測定装置１８００は、第１処理部１８０１及び第２処理部１８０２を含み、実施例３における第１処理部８０１及び第２処理部８０２を参照してもよく、ここでその説明が省略される。
【０１２１】
本実施例では、フィルタリング特性の測定装置１８００は、送信レーザ及び局部レーザに対して電力校正を行う第１校正部１８０３をさらに含んでもよい。
【０１２２】
本実施例では、フィルタリング特性の測定装置１８００は、第１送信部、送信側及び受信側のフィルタリングモジュール（図示せず）、並びに／又は第１設定部をさらに含んでもよく、その具体的な態様は実施例６〜８を参照してもよく、ここでその説明が省略される。
【０１２３】
本実施例では、光の電力を測定する測定部（図示せず）をさらに含んでもよい。光の電力が変化した場合、第１校正部１８０３は、光の電力を安定化するように校正を行う。ここで、測定部は光検出器ＰＤにより実現されてもよいが、本実施例はこれに限定されない。
【０１２４】
もう１つの態様では、第１校正部１８０３及び測定部は通信機器、即ち送信機、受信機又は送受信機に設けられてもよい。例えば、実施例５の図１４に示すように、第１校正部１８０３の機能は通信機器の中央処理装置１４０１に統合され、該通信機器は光の電力を測定する光検出器（図示せず）をさらに含み、測定結果が中央処理装置１４０１に送信され、中央処理装置１４０１が送信レーザ及び局部レーザに対して電力校正を行う。
【０１２５】
本実施例では、フィルタリング特性の測定装置１８００は、送信側のフィルタリング特性を決定した後に、前置等化器が送信側のフィルタリング特性に基づいて前置等化器の係数を決定し、前置等化処理を行うように、該フィルタリング特性を送受信機又は送信機の該前置等化器に送信してもよい。
【０１２６】
本実施例によれば、余分な測定計器を必要とせずに、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。
【０１２７】
＜実施例１０＞
本発明の実施例１０は前置等化器をさらに提供する。図１９は本実施例に係る前置等化器の構成を示す図であり、該前置等化器１９００は、特性測定部１９０１及び前置等化部１９０２を含む。
【０１２８】
特性測定部１９０１は、フィルタリング特性を測定する装置を含み、送信側のフィルタリング特性を決定する。
【０１２９】
前置等化部１９０２は、送信側のフィルタリング特性に基づいて前置等化器の係数を決定し、前置等化器の係数を用いて送信信号に対して前置等化処理を行う。
【０１３０】
ここで、特性測定部１９０１の具体的な態様は実施例３、６〜９のうちいずれかのフィルタリング特性の測定装置を参照してもよい。また、前置等化部１９０２は、ゼロ・フォーシング、最小平均二乗誤差等の方法を用いて前置等化器の係数を決定してもよく、定数モジュラスアルゴリズムを用いて該係数に基づいて受信信号に対して前置等化処理を行ってもよいが、本実施例はこれに限定されない。
【０１３１】
＜実施例１１＞
本実施例１１は通信機器をさらに提供し、該通信機器は送受信機又は送信機であってもよく、該通信機器は実施例１０における前置等化器を含み、その具体的な態様は実施例１０を参照してもよく、ここでその説明が省略される。
【０１３２】
本実施例によれば、余分な測定計器を必要とせずに、送信レーザと局部レーザとの周波数オフセットを変更して該受信側のフィルタリング特性及び送信側のフィルタリング特性を測定することで、フィルタリング特性を測定するための計器による高コスト及び大規模な使用が困難であるという問題を回避できる。また、上記測定されたフィルタリング特性を用いて前置等化器の係数を取得し、該前置等化器の係数を用いてフィルタリングモジュールによるフィルタリング損傷を補償できる。
【０１３３】
本発明の実施例は、フィルタリング特性の測定装置においてプログラムを実行する際に、コンピュータに、上記の実施例１又は２に記載のフィルタリング特性の測定方法を該フィルタリング特性の測定装置において実行させる、コンピュータ読み取り可能なプログラムをさらに提供する。
【０１３４】
本発明の実施例は、コンピュータに、上記の実施例１又は２に記載のフィルタリング特性の測定方法をフィルタリング特性の測定装置において実行させるためのコンピュータ読み取り可能なプログラムを記憶する、記憶媒体をさらに提供する。
【０１３５】
以上、図面を参照しながら本発明の実施形態を説明している。これらの実施形態の特徴及び利点は該詳細な明細書に基づいて明確にされたものであるため、添付された特許請求の範囲はこれらの実施形態に入る真実の要旨及び範囲内の全ての特徴及び利点を含む。また、本発明の趣旨及び原理を離脱しない限り、本発明に対して各種の変形及び修正を行ってもよく、これらの変形及び修正も本発明の範囲内の全ての適切な修正及び均等物に入る。
【０１３６】
なお、本発明の各部はハードウェア、ソフトウェア、ファームウェア又はそれらの組み合わせで実現されてもよい。上記の実施形態では、複数のステップ又は方法は、記憶装置に記憶され、且つ適切な命令を介してシステムが実行可能なソフトウェア又はファームウェアを実行することで実現されてもよい。例えば、ハードウェアで実現される場合、他の実施形態と同様に、本分野の周知技術、例えばデジタル信号に対する論理機能を機能する論理ゲート回路を有する離散論理回路、適切な組み合わせ論理ゲート回路を有する専用集積回路、プログラマブル・ゲート・アレイ（ＰＧＡ）、フィールド・プログラマブル・ゲート・アレイ（ＦＰＧＡ）などのいずれか１つ又はその組み合わせで実現されてもよい。
【０１３７】
また、上述した実施例を含む実施形態に関し、更に以下の付記を開示する。
（付記１）
フィルタリング特性の測定方法であって、
測定信号を送信するステップと、
測定信号を送信側フィルタリングモジュール及び受信側フィルタリングモジュールを通過させ、受信信号を取得するステップと、
送信側の送信レーザと受信側の局部レーザとの周波数オフセットを変更するステップと、
異なる周波数オフセットについての、取得された前記受信信号の振幅に基づいて、受信側のフィルタリング特性を決定するステップと、を含む、方法。
（付記２）
前記受信側のフィルタリング特性と前記送信側のフィルタリング特性との結合応答を測定するステップと、
前記受信側のフィルタリング特性及び前記結合応答に基づいて前記送信側のフィルタリング特性を決定するステップと、をさらに含む、付記１に記載の方法。
（付記３）
前記送信レーザ及び／又は前記局部レーザの周波数を設定し、異なる周波数オフセットを取得する、付記１に記載の方法。
（付記４）
異なる周波数オフセットについての取得された前記受信信号の振幅に基づいて、受信側のフィルタリング特性を決定するステップは、
異なる周波数オフセットについての受信信号の振幅を決定し、各周波数オフセットについての受信信号の振幅を、受信側の各周波数オフセットに対応する周波数点におけるフィルタリング特性とするステップと、
決定された受信側の各周波数オフセットに対応する周波数点におけるフィルタリング特性に基づいて、前記受信側のフィルタリング特性を決定するステップと、を含む、付記１に記載の方法。
（付記５）
前記受信信号に基づいて前記周波数オフセットを決定し、或いは送信レーザ及び局部レーザの周波数に基づいて前記周波数オフセットを計算する、付記４に記載の方法。
（付記６）
前記測定信号は狭帯域信号である、付記１に記載の方法。
（付記７）
前記狭帯域信号は、直流信号、単一周波数信号、又は低いボーレートの擬似ランダム信号である、付記６に記載の方法。
（付記８）
前記送信レーザ及び前記局部レーザに対して電力校正を行うステップ、をさらに含む、付記１に記載の方法。
（付記９）
前置等化方法であって、
設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて受信側のフィルタリング特性を決定し、受信側のフィルタリング特性及び受信側のフィルタリング特性と送信側のフィルタリング特性との結合応答に基づいて送信側のフィルタリング特性を決定するステップと、
前記送信側のフィルタリング特性に基づいて前置等化器係数を決定し、前記前置等化器係数を用いて送信信号に対して前置等化処理を行うステップと、を含む、方法。
（付記１０）
フィルタリング特性の測定装置であって、
設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて、受信側のフィルタリング特性を決定する第１処理手段、を含む、装置。
（付記１１）
送信側のフィルタリング特性を測定する第２処理手段、をさらに含み、
前記第２処理手段は、
前記受信側のフィルタリング特性と前記送信側のフィルタリング特性との結合応答を測定する第１測定手段と、
前記受信側のフィルタリング特性及び前記結合応答に基づいて前記送信側のフィルタリング特性を決定する第１決定手段と、を含む、付記１０に記載の装置。
（付記１２）
前記送信レーザ及び／又は前記局部レーザの周波数を設定し、異なる周波数オフセットを取得する第１設定手段、をさらに含む、付記１０に記載の装置。
（付記１３）
前記第１処理手段は、
異なる周波数オフセットについての受信信号の振幅を決定し、各周波数オフセットについての受信信号の振幅を、受信側の各周波数オフセットに対応する周波数点におけるフィルタリング特性とする第２決定手段と、
前記第２決定手段により決定された受信側の各周波数オフセットに対応する周波数点におけるフィルタリング特性に基づいて、前記受信側のフィルタリング特性を決定する第３決定手段と、を含む、付記１０に記載の装置。
（付記１４）
前記第１処理手段は、
前記受信信号に基づいて前記周波数オフセットを決定し、或いは送信レーザ及び局部レーザの周波数に基づいて前記周波数オフセットを計算する第４決定手段、をさらに含む、付記１３に記載の装置。
（付記１５）
前記測定信号は狭帯域信号である、付記１０に記載の装置。
（付記１６）
前記狭帯域信号は、直流信号、単一周波数信号、又は低いボーレートの擬似ランダム信号である、付記１５に記載の装置。
（付記１７）
前記送信レーザ及び前記局部レーザに対して電力校正を行う第１校正手段、をさらに含む、付記１０に記載の装置。
（付記１８）
前記測定信号を送信する第１送信手段、をさらに含む、付記１０に記載の装置。
（付記１９）
前置等化器であって、
設定された送信側の送信レーザと受信側の局部レーザとの異なる周波数オフセットについての、測定信号が送信側フィルタリングモジュール及び受信側フィルタリングモジュールを通過して得られた受信信号の振幅に基づいて受信側のフィルタリング特性を決定し、受信側のフィルタリング特性及び受信側のフィルタリング特性と送信側のフィルタリング特性との結合応答に基づいて送信側のフィルタリング特性を決定する特性測定手段と、
前記送信側のフィルタリング特性に基づいて前記前置等化器の係数を決定し、前記前置等化器の係数を用いて送信信号に対して前置等化処理を行う前置等化手段と、を含む、前置等化器。
（付記２０）
付記１０に記載のフィルタリング特性の測定装置を含む、光通信機器。
【図１】
2017108407.tif 000003
【図２】
2017108407.tif 000004
【図３】
2017108407.tif 000005
【図４】
2017108407.tif 000006
【図５】
2017108407.tif 000007
【図６】
2017108407.tif 000008
【図７】
2017108407.tif 000009
【図８】
2017108407.tif 000010
【図９】
2017108407.tif 000011
【図１０】
2017108407.tif 000012
【図１１】
2017108407.tif 000013
【図１２】
2017108407.tif 000014
【図１３】
2017108407.tif 000015
【図１４】
2017108407.tif 000016
【図１５】
2017108407.tif 000017
【図１６】
2017108407.tif 000018
【図１７】
2017108407.tif 000019
【図１８】
2017108407.tif 000020
【図１９】
2017108407.tif 000021